(57)【要約】【課題】シート状の収納物が比較的大きい場合にも効率良く収納することができる収納箱を得る。【解決手段】収納箱１００は、中空の直方体状に形成され、上下一対の上面１及び下面２と、前後一対の前面３及び後面４と、左右一対の左側面５及び右側面６とを有している。左側面５又は右側面６は、図示しないが、開放することができ、左側面５又は右側面６から収納箱１００の中空内部に台紙７を収納又は取り出し可能となっている。複数枚の医療用エプロンが台紙７の谷部１５に挟まれると共に、隣り合う台紙７の山部１４に挟まれるようになっている。【選択図】図１
2016204016.tif 000002
【特許請求の範囲】
【請求項１】
複数のシート状の収納物を収納可能な収納箱であって、
前記収納物の取り出し口を有した箱状部材と、
一方向に伸縮可能となるように、蛇腹状に形成された蛇腹状部材と、
を備え、
前記蛇腹状部材が、前記蛇腹状部材のいずれか一方の片面に沿って、複数のシート状の収納物を折り畳みつつ挟持することが可能なものであり、
前記蛇腹状部材の伸縮方向と、前記箱状部材の上下方向とが略合致するように、前記収納物を挟持した前記蛇腹状部材を前記箱状部材に収納可能であることを特徴とする収納箱。
【請求項２】
前記蛇腹状部材は複数の山部と谷部とが交互に設けられたものであり、
前記谷部には底部が設けられていることを特徴とする請求項１に記載の収納箱。
【請求項３】
前記蛇腹状部材は複数の山部と谷部とが交互に設けられたものであり、
前記山部の裏側に隙間が設けられていることを特徴とする請求項１に記載の収納箱。
【請求項４】
前記蛇腹状部材は複数の山部と谷部とが交互に設けられたものであり、
前記山部の頂部には、平面部又は扇状部が設けられていることを特徴とする請求項１に記載の収納箱。
【発明の詳細な説明】
【技術分野】
【０００１】
本発明は、シート状の収納物を内部に収納することに適した収納箱に関するものである。
【背景技術】
【０００２】
従来、ティシュペーパー等のシート状の収納物を積層状態で収納し、このシート状収納物の取り出し口が上部に形成された収納箱として、例えば特許文献１に記載のものが知られている。この収納箱の製造に際しては、折り加工機により折り畳まれながら積み重ねられたティシュペーパー束が形成され、箱詰機械により箱詰めされるようになっている。また、収納箱に収納されているシート状の収納物の量（枚数）が少なくなった場合、上方に設けた取り出し口からシート状の収納物までの距離が大きくなり指先が届かなくなり、取り出すのが困難になる。この取り出しにくさを解消するため、例えば特許文献２に記載のように、上げ底を形成する収納箱が知られている。
【先行技術文献】
【特許文献】
【０００３】
【特許文献１】特開２０１４−１３８８９７号公報
【特許文献２】特開平１１−２４５９７７号公報
【発明の開示】
【発明が解決しようとする課題】
【０００４】
しかしながら、収納箱にティシュペーパーよりも大きく複雑な形状を有したシート状の収納物、例えば図６に示したようなポリ塩化ビニル製の医療用エプロン２０を複数枚重ねて収納する場合、機械を用いることなく、医療用エプロンを一枚ずつ折り畳んで箱詰めする必要があり、多大な手間と時間とがかかるという問題があった。ここで、医療用エプロン２０は、本体の上部に設けられ、装着する人の頭部を介して首にかける開口部２０ａと、腰に巻きつけて結ぶことが可能な一対の巻き付け部２０ｂとを有している。
【０００５】
また、上記特許文献２記載の収納箱では、シート状の収納物の量（枚数）が少なくなった場合、上げ底により持ち上げ支持されるのはシート状の収納物の中央部付近のみなので、取り出しにくい場合がある。
【０００６】
そこで、本発明は、上記の問題に鑑みなされたものであり、シート状の収納物が比較的大きい場合にも効率良く収納することができ、シート状の収納物の量（枚数）が少なくなっても上げ底にすることなく、容易に取り出しできる収納箱を提供することを目的とする。
【課題を解決するための手段】
【０００７】
（１）  本発明は、複数のシート状の収納物を収納可能な収納箱であって、前記収納物の取り出し口を有した箱状部材と、一方向に伸縮可能となるように、蛇腹状に形成された蛇腹状部材と、を備え、前記蛇腹状部材が、前記蛇腹状部材のいずれか一方の片面に沿って、複数のシート状の収納物を折り畳みつつ挟持することが可能なものであり、前記収納物を挟持した前記蛇腹状部材を前記箱状部材に収納可能であることを特徴とする。
【０００８】
上記（１）の構成によれば、シート状の収納物が比較的大きい場合にも効率良く収納することができ、従来よりも大幅に箱詰め作業性を向上させることができる。また、蛇腹状部材によってシート状の収納物の一部は、収納箱の取り出し口に近いところに存在することになるから、収納箱内のシート状の収納物の量（枚数）が少なくなっても、最後の１つまで収納箱を上げ底にすることなく、容易に取り出しすることができる。
【０００９】
（２）  上記（１）の収納箱においては、前記蛇腹状部材は複数の山部と谷部とが交互に設けられたものであり、前記谷部には底部が設けられていることが好ましい。
【００１０】
上記（２）の構成によれば、谷部におけるシート状の収納物の屈曲部分の圧縮を抑制できるので、収納箱からシート状の収納物を一部ずつ取り出しやすくすることができる。
【００１１】
（３）  上記（１）の収納箱においては、前記蛇腹状部材は複数の山部と谷部とが交互に設けられたものであり、前記山部の裏側に隙間が設けられていることが好ましい。
【００１２】
上記（３）の構成によれば、山部におけるシート状の収納物の屈曲部分の曲率が小さくなるので、収納箱からシート状の収納物を一部ずつ取り出しやすくすることができる。
【００１３】
（４）  上記（１）の収納箱においては、前記蛇腹状部材は複数の山部と谷部とが交互に設けられたものであり、前記山部の頂部には、平面部又は扇状部が設けられていることが好ましい。
【００１４】
上記（４）の構成によれば、山部におけるシート状の収納物の屈曲部分の曲率が小さくなるので、収納箱から収納物を一部ずつ取り出しやすくすることができる。
【図面の簡単な説明】
【００１５】
【図１】本発明の実施の形態に係る収納箱を示す斜視透過図である。
【図２】本発明の実施の形態に係る台紙を示す図であって、（ａ）は上面図、（ｂ）は折り畳まれた状態を示す斜視図である。
【図３】本発明の実施の形態に係る収納箱の内部を示す側面図である。
【図４】本発明の実施の形態に係る台紙と共に医療用エプロンが折り畳まれる様子を示す斜視図である。
【図５】本発明の実施の形態の変形例を示す図であって、（ａ）、（ｂ）は収納箱の内部を示す側面図である。
【図６】医療用エプロンの使用前の形状の一例を示した図である。
【発明を実施するための形態】
【００１６】
以下、本発明の実施の形態について図１〜図４に基づいて説明する。図１は本発明の実施の形態に係る収納箱を示す斜視図、図２は本発明の実施の形態に係る台紙を示す図であって、（ａ）は折り畳まれる前の上面図、（ｂ）は折り畳まれた状態を示す斜視図、図３は本発明の実施の形態に係る収納箱の内部を示す側面図、図４（ａ）、（ｂ）、（ｃ）は本発明の実施の形態に係る台紙と共に医療用エプロンが折り畳まれる様子を示す斜視概略図である。
【００１７】
図１において、本発明の実施の形態に係る収納箱１００は、中空の直方体状に形成され、上下一対の上面１及び下面２と、前後一対の前面３及び後面４と、左右一対の左側面５及び右側面６とを有している。左側面５又は右側面６は、図示しないが、開放することができ、左側面５又は右側面６から収納箱１００の中空内部に台紙７を収納又は取り出し可能となっている。そして、図３に示したように、台紙７と共にシート状の収納物としてのポリ塩化ビニル製の医療用エプロン２０が収納されるようになっている。なお、収納箱１００を形成する素材としては、特に限定されず、例えば、厚紙、ダンボール、プラスチック等、収納箱１００の形状を保持することができるものであれば何でもよい。
【００１８】
また、上面１から前面３にかけては、取り出し口８を開閉する蓋部９が設けられている。この蓋部９は差し込み片１０を有し、差し込み片１０が前面３に設けられた切れ込み溝１１に挿入されることで、取り出し口８が蓋部９によって閉じられるようになっている。一方、差し込み片１０を上方向に引き上げると、蓋部９が開放され取り出し口８が開くようになっている。
【００１９】
図２（ａ）に示すように、折り畳まれる前の台紙７には、折り加工を容易とするために山折りの折り目１２（図２（ａ）の二点鎖線部分）及び谷折りの折り目１３（図２（ａ）の破線部分）が、台紙７長手方向に複数並設されている。ここで、折り目１２に沿って山折り、且つ、折り目１３に沿って谷折りに折ることで、図２（ｂ）に示すように、山型状又は湾曲状の山部１４と、底部１５ａを有したコ字状又はＵ字状の谷部１５と、が交互に連続して連なる形状となり、さらに、山部１４と谷部１５とを繰り返し連続的に折り畳むことにより、台紙７は、蛇腹状に折り畳まれ、伸縮可能に形成されるようになる。なお、台紙７は、図１に示したように、蛇腹状に折り畳まれた収縮状態で収納箱１００の左側面５又は右側面６から取り出し又は収納が可能となっている。
【００２０】
なお、台紙７に設けられた山折り及び谷折りの折り目１２、１３の数は、収納箱１００内に収納されるシート状の収納物の種類、量（枚数）等に応じて適宜設定することができる。また、台紙７は、厚紙、ダンボール等の紙質のものに限定されず、蛇腹状に折り畳むことができるものであればどのようなものでもよく、例えば、プラスチック等であってもよい。
【００２１】
図３は、複数枚の医療用エプロン２０が収納された収納箱１００の右側面６から左側面５方向に見た場合の収納箱１００内部を示す側断面図であって、複数枚の医療用エプロン２０が台紙７の谷部１５に挟まれると共に、隣り合う台紙７の山部１４に挟まれるようになっている。このように蛇腹状に折り畳まれた台紙７により、複数枚の医療用エプロン２０も蛇腹状に収納箱１００内部で安定的に保持（挟持）される。これにより、医療用エプロン２０の量（枚数）が少なくなった場合でも、収納箱１００を移動させたり、縦向きにさせた際に、医療用エプロン２０が偏ったり歪んだりするのを防止することができる。また、積層状態で収納された医療用エプロン２０は、常に取り出し口８と接近するようになっているので、収納箱１００内の医療用エプロン２０の量（枚数）に関わらず、取り出し口８から容易に順次取り出すことができる。
【００２２】
ここで、上記構成の収納箱１００に医療用エプロン２０を収納する場合について、図４の概略図を用いて説明する。まず、医療用エプロン２０（図４においては略図で示している。）を台紙７の上面に載置する。ここで医療用エプロン２０は、台紙７の寸法よりも広くならないように折られて（例えば、図６に示した医療用エプロン２０の中央線Ａを中心として半分に折って）、複数枚が積み重ねられた積層状態となっている（図４（ａ）参照）。次に、台紙７を両端部から図２（ａ）に示す矢印の方向に折り畳むと、複数枚の医療用エプロン２０が台紙７の谷部１５に挟み込まれるようになり（図４（ｂ）参照）、さらに台紙７を収縮させることによって、医療用エプロン２０が台紙７と共に蛇腹状に折り畳まれることになる（図４（ｃ）参照）。そして、この状態で収納箱１００の左側面５又は右側面６から収納することによって、一度に容易に折り畳んだ複数枚の医療用エプロン２０を収納箱１００に収納することができるようになる。
【００２３】
以上のように、本実施形態に係る収納箱１００では、伸縮可能に形成された台紙７により、複数枚の医療用エプロン２０を台紙７と共に蛇腹状に折り畳み、効率良く容易に収納することができ、箱詰め作業性を向上させることができる。
【００２４】
また、谷部１５には底部１５ａが設けられているので、谷部１５における医療用エプロン２０の屈曲部分の圧縮を抑制でき、収納箱から医療用エプロン２０を一部ずつ取り出しやすくすることができる。
【００２５】
また、蛇腹状の台紙７によって常に医療用エプロン２０と取り出し口８とが接近しているため、収納箱１００内に収納される医療用エプロン２０の量（枚数）が少なくなっても、最後の１つまで収納箱１００を上げ底にすることなく、確実に取り出すことができる。
【実施例】
【００２６】
次に、本発明について、実施例を用いて説明する。
【００２７】
（実施例１）
医療用エプロンを収納箱に収納する場合について、医療用エプロン１００枚/箱の従来品（上記実施の形態における台紙がないもの）と、医療用エプロン１００枚/箱の本発明に係る収納箱とについて、試験を行った。
【００２８】
上記実施の形態の医療用エプロン２０と同形態の大人用の大きさの医療用エプロンを、従来の収納箱に１人で１枚ずつ手折して箱詰めする場合、手折して仕上げるのに１箱当り約１０分を要した。これに対して、上記実施の形態と同様の収納箱について、１人で上記実施の形態で説明した収納工程に従って医療用エプロンの束を収納するまで、１箱当り約１分であった。
【００２９】
本実施例により、従来に比べて、本発明に係る収納箱を用いれば、大幅な時間短縮を図ることができることがわかった。
【００３０】
（実施例２）
次に、２０フィートコンテナを満載にするほどの枚数（６０万枚）の医療用エプロンを収納箱に収納する場合について、医療用エプロン１００枚/箱の従来品と、医療用エプロン１００枚/箱の本発明に係る収納箱とについて、試験を行った。医療用エプロンには、実施例１で用いた医療用エプロンを使用した。
【００３１】
従来の収納箱に「４０人」で１枚ずつ手折して箱詰めする場合、手折して仕上げるのに一週間を要した。これに対して、上記実施の形態と同様の収納箱について、「４人」で上記実施の形態で説明した収納工程に従って作業した期間は、一週間であった。
【００３２】
本実施例により、従来に比べて、本発明に係る収納箱を用いれば、大幅な人員削減を図ることができることがわかった。
【００３３】
上記実施例に示したように、従来品に比べて、いかに本発明に係る収納箱が優れている商品であるかが立証された。すなわち、シート状の収納物が比較的大きい場合にも効率良く収納することができ、従来よりも大幅に箱詰め作業性を向上させることができる。その結果として、従来に比べて人件費を抑制できるので、コスト削減することができる。
【００３４】
以上、本発明の実施の形態を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【００３５】
例えば、上記実施の形態では台紙７の山部１４が収納箱１００の前面３を向くように収納されているが、図５（ａ）に示すように、台紙７の山部１４が収納箱１００の後面４を向くように収納することも可能である。また、図５（ｂ）に示すように、収納箱２００は、台紙３７の山部４４は、裏側に隙間４６を持たせた形状であってもよい。この隙間４６により、山部４４における医療用エプロン２０の屈曲部分の曲率が小さくなるので、上記実施形態又は図５（ａ）に示した収納箱よりも、医療用エプロン２０を取り出しやすくすることができる。なお、図５（ｂ）における符号３１〜３４、３７、４４〜４６、６０は、順に上記実施形態の符号１〜４、７、１４〜１６、２０と同様の部位である。また、収納箱２００のその他の点は、収納箱１００と同様であるので、説明を省略する。ここで、図５（ａ）、（ｂ）は、複数枚の医療用エプロン２０が収納された収納箱１００を右側面６から左側面５方向に見た収納箱１００内部を示す側面図である。
【００３６】
また、上記実施の形態の台紙７の両端にある平面部７ａ、７ｂのうちいずれか一方又は両方がなくてもよい。すなわち、いずれか一方の端部又は両端部に山部がなくてもよい。なぜなら、台紙７の平面部７ｃ、７ｄさえあれば、平面部７ａ、７ｂがなくても、上記実施の形態の山部と同様の作用効果を奏することができるためである。図５（ａ）、（ｂ）に示した収納箱においても同様に変形可能である。
【００３７】
また、上記実施の形態では、収納箱１００内に収納される収納物として、医療用エプロン２０を用いたが、表面の摩擦係数が比較的低い（滑りやすい）シート状の収納物であれば特に限定されず、例えば、グラシン紙、パラフィン紙、クッキングペーパーなどの他、ポリ袋等のフィルム系の製品等を用いてもよい。
【００３８】
また、上記実施の形態及び変形例においては、谷部に底面があるものを示したが、これに限られず、単に山部の内側を利用した谷部としてもよい。このとき、図５（ｂ）に示すような隙間４６を形成しておくことが好ましい。
【００３９】
また、上記実施の形態及び変形例における台紙においては、頂部に平面部又は扇状部を有した山部を形成したものとしてもよい。これにより、山部におけるシート状の収納物の屈曲部分の曲率が小さくなるので、収納箱から収納物を一部ずつ取り出しやすくすることができる。
【００４０】
また、上記実施の形態及び変形例における台紙においては、各図に示したとおり、台紙の伸縮方向と、収納箱の上下方向とが略合致するように、医療用エプロンを挟持した台紙を収納箱に収納したものとしたが、これに限られず、収納物の形状に合わせて、（１）台紙の伸縮方向と、収納箱の前後方向とが略合致するように、医療用エプロンを挟持した台紙を収納箱に収納する構成としてもよいし、（２）台紙の伸縮方向と、収納箱の左右方向とが略合致するように、医療用エプロンを挟持した台紙を収納箱に収納する構成としてもよい。
【符号の説明】
【００４１】
１、３１    上面
２、３２    下面
３、３３    前面
４、３４    後面
５    左側面
６    右側面
７、３７    台紙
７ａ、７ｂ、７ｃ、７ｄ    平面部
８    取り出し口
９    蓋部
１０    差し込み片
１１    切れ込み溝
１２、１３    折り目
１４、４４    山部
１５、４５    谷部
１５ａ、４５ａ    底部
２０    医療用エプロン
２０ａ    開口部
２０ｂ    巻き付け部
４４    山部
４６    隙間
１００、２００    収納箱
【図１】
2016204016.tif 000003
【図２】
2016204016.tif 000004
【図３】
2016204016.tif 000005
【図４】
2016204016.tif 000006
【図５】
2016204016.tif 000007
【図６】
2016204016.tif 000008